(57)【要約】      （修正有）【課題】簡易な構造で、取付および取り外し作業が容易であり、また、設置場所の自由度が高く、展示物を効率良く際立たせることが可能な展示用部材を提供する。【解決手段】展示用部材１は、主に保持板３、保持部材５から構成される。保持板３の裏面には、表面に微細なセルが形成される貼着シートが設けられる。保持板３は、板状部材であり、表面に展示物を保持可能な保持部材５が設けられる。保持部材５は、保持板側保持部材７と展示物側保持部材９とから構成される。保持板側保持部材７は、保持板３の表面に接合される。同様に、展示物側保持部材９は、展示用の携帯電話等である展示物１１の裏面に接合される。【選択図】図１
0003159183.tif 000002
【実用新案登録請求の範囲】
【請求項１】
展示物を保持する展示用部材であって、
保持板と、
前記保持板の裏面に設けられる貼着シートと、
を具備し、
前記貼着シートは表面に微細なセルを有し、貼着対象部に対して、貼り付け及び剥離が繰り返し可能であり、
前記保持板の表面には、展示物を保持可能な保持部材が設けられることを特徴とする展示用部材。
【請求項２】
前記保持板の表面側の外周部には、前記保持板の裏面に対して外方に張り出した張り出し部が形成されることを特徴とする請求項１記載の展示用部材。
【請求項３】
前記保持部材は、
前記保持板に接合され、磁石を有する保持板側保持部材と、
展示物に接合され、磁石を有する展示物側保持部材と、
を具備し、
前記保持板側保持部材と前記展示物側保持部材とが、互いの磁石によって着脱可能であることを特徴とする請求項１または請求項２に記載の展示用部材。
【請求項４】
前記貼着シートと貼着対象部との貼着力が、前記前記保持板側保持部材と前記展示物側保持部材との引力よりも十分に強く、前期貼着シートによって前記保持板を貼着対象部に貼着した状態で、展示物を着脱可能であることを特徴とする請求項３記載の展示用部材。
【請求項５】
前記保持板側保持部材の表面には凹部が形成され、前記展示物側保持部材は、前記凹部に嵌り込んだ状態で前記保持板側保持部材と磁力で固定されることが可能であることを特徴とする請求項３または請求項４に記載の展示用部材。
【請求項６】
前記保持板側保持部材には、磁石が複数併設され、前記展示物側保持部材には、前記保持板側保持部材の磁石に対応する配置で磁石が複数併設され、前記展示物側保持部材のそれぞれの磁石と前記保持板側保持部材の対応する磁石とが引き合うことで、前記展示物側保持部材と前記保持板側保持部材とが所定の向きで固定されることを特徴とする請求項３から請求項５のいずれかに記載の展示用部材。
【請求項７】
前記保持部材は、
前記保持板に接合され、前記保持板の表面と略垂直な面を有する展示物載置部であり、
前記展示物を前記展示物載置部に載置可能であることを特徴とする請求項１または請求項２に記載の展示用部材。
【考案の詳細な説明】
【技術分野】
【０００１】
本考案は、展示物を展示するための展示用部材に関するものである。
【背景技術】
【０００２】
従来、店舗等で展示物（例えば携帯電話など）を展示する際には、展示用の棚に展示物を陳列する方法がある。また、陳列棚等に展示物を保持可能な保持部材を設け、当該保持部材に展示物を載置する方法がある。
【０００３】
このような展示物用の保持部材としては、たとえば、上面が開口した箱状体の背面に、背面と対向する対向板を設け、背面下端から、対向板と背面との間に先端が来るように設けられた可撓性部材を有する展示物品保持具がある（特許文献１）。
【先行技術文献】
【特許文献】
【０００４】
【特許文献１】特開２００９−２８５２０５号公報
【考案の開示】
【考案が解決しようとする課題】
【０００５】
しかし、特許文献１に記載されるような展示物品保持具は、展示物の大きさに応じて箱状体の大きさを変える必要がある。また、当該展示物品保持具は、陳列棚等の柵に取り付けられるものであり、展示物の配置に制限があり、任意の位置に展示物を展示することは困難である。また、展示物品保持具の位置を変更する場合には、展示物品保持具を柵から取り外し、再度柵に取り付ける必要があるため、位置変更の作業性もよくない。
【０００６】
また、展示物品保持具自体が大きくなるため保管時にも場所をとり、展示物を陳列した状態でも、展示物品保持具が陳列棚の柵よりさらに前方に突出しているため、展示物と同様に展示物品保持具が目立ち、展示物のみを際立たせるという効果が薄れるという問題がある。
【０００７】
本考案は、このような問題に鑑みてなされたもので、簡易な構造で、取付および取り外し作業が容易であり、また、設置場所の自由度が高く、展示物を効率良く際立たせることが可能な展示用部材を提供することを目的とする。
【課題を解決するための手段】
【０００８】
前述した目的を達成するため、第１の考案は、展示物を保持する展示用部材であって、保持板と、前記保持板の裏面に設けられる貼着シートと、を具備し、前記貼着シートは表面に微細なセルを有し、貼着対象部に対して、貼り付け及び剥離が繰り返し可能であり、前記保持板の表面には、展示物を保持可能な保持部材が設けられることを特徴とする展示用部材である。
【０００９】
前記保持板の表面側の外周部には、前記保持板の裏面に対して外方に張り出した張り出し部が形成されてもよい。
【００１０】
前記保持部材は、前記保持板に接着され、磁石を有する保持板側保持部材と、展示物に接着され、磁石を有する展示物側保持部材と、を具備し、前記保持板側保持部材と前記展示物側保持部材とが、互いの磁石によって着脱可能であってもよい。
【００１１】
前記貼着シートと貼着対象部との貼着力が、前記前記保持板側保持部材と前記展示物側保持部材との引力よりも十分に強く、前期貼着シートによって前記保持板を貼着対象部に貼着した状態で、展示物を着脱可能であってもよい。
【００１２】
前記保持板側保持部材の表面には凹部が形成され、前記展示物側保持部材は、前記凹部に嵌り込んだ状態で前記保持板側保持部材と磁力で固定されてもよい。
【００１３】
前記保持板側保持部材には、磁石が一対併設され、前記展示物側保持部材には、前記保持板側保持部材の磁石に対応する配置で磁石が一対併設され、前記展示物側保持部材のそれぞれの磁石と前記保持板側保持部材の対応する磁石とが引き合うことで、前記展示物側保持部材と前記保持板側保持部材とが所定の向きで固定されてもよい。
【００１４】
前記保持部材は、前記保持板に接合され、前記保持板の表面と略垂直な面を有する展示物載置部であり、前記展示物を前記展示物載置部に載置可能であってもよい。
【００１５】
本考案によれば、微細なセルを有する貼着シートを用いた保持板を有するため、保持板の着脱が容易であり、平滑な貼着対象部であれば、設置位置を自由に決定できるため、レイアウトの自由度が高く、繰り返しの着脱も容易である。また、保持板の裏面が貼着対象部に貼着するため、柵などが必要ない。
【００１６】
また、保持板の外周部には裏面側よりも外方に張り出した張り出し部が形成されるため、保持板を容易に貼着対象部から取り外すことが可能である。
【００１７】
また、保持部材が保持板側保持部材および展示物側保持部材であって、互いに磁石で引きつけ合うことで固定すれば、展示物を容易に保持板側から取り外すことができ、需要者が展示物を容易に手にとって見ることができるとともに、展示物の交換も容易である。
【００１８】
また、この際、貼着シートの貼着力が、保持部材の磁力よりも十分に強ければ、展示物を取り外す際に、保持板が貼着対象部からはがれることがない。
【００１９】
また、保持板側保持部材の表面に凹部を設け、展示物側保持部材が凹部に嵌り込むことが可能であれば、展示物が保持された状態で位置ずれを起こすことがない。また、保持板側保持部材および展示物側保持部材の磁石が複数（例えば一対）併設されることで、展示物を保持板側に取り付ける際に、展示物の取り付け位置および向きを一定にすることができる。
【００２０】
また、保持部材として、展示物載置部を設けることで、展示物を展示物載置部に載置すれば良く、需要者が展示物を簡易に手に取ることが可能となる。
【考案の効果】
【００２１】
本考案によれば、簡易な構造で、取付および取り外し作業が容易であり、また、設置場所の自由度が高く、展示物を効率良く際立たせることが可能な展示用部材を提供することができる。
【図面の簡単な説明】
【００２２】
【図１】展示用部材１を示す斜視図。
【図２】保持板３を示す斜視図。
【図３】保持部材５を示す斜視図。
【図４】保持板側保持部材７と展示物側保持部材９との固定位置を示す図。
【図５】展示用部材１の取り付け構造を示す図。
【図６】展示用部材３０を示す斜視図。
【図７】展示用部材４０を示す図。
【考案を実施するための形態】
【００２３】
以下、本考案の実施の形態を詳細に説明する。図１は、本考案の実施の形態にかかる展示用部材１を示す斜視図であり、図１（ａ）は、展示物１１を取り外した状態を示す図、図１（ｂ）は、展示物１１を取り付けた状態を示す図である。
【００２４】
展示用部材１は、主に保持板３、保持部材５等から構成される。保持板３は、板状部材であり、前面に展示物を保持可能な保持部材５が設けられる。なお、保持板３の詳細構造は後述する。
【００２５】
保持部材５は、保持板側保持部材７と展示物側保持部材９とから構成される。保持板側保持部材７は、保持板３の表面に両面テープや接着等により接合されて使用される。同様に、展示物側保持部材９は、展示用の携帯電話等である展示物１１の裏面に両面テープや接着等により接合されて使用される。なお、保持板側保持部材７と展示物側保持部材９は例えばＡＢＳ等の樹脂製である。
【００２６】
展示物側保持部材９と保持板側保持部材７には、内部に磁石が設けられており、互いに着脱可能である。すなわち、図１（ｂ）に示すように、陳列時には展示物側保持部材９と保持板側保持部材７とが磁石によって引きつけ合い、展示物１１が保持板３側に固定される。一方、需要者が展示物１１に興味を有する場合には、展示物側保持部材９は容易に保持板側保持部材７から取り外すことが可能であるため、展示物１１を手に取ることが可能である。したがって、展示用部材１は、展示物１１を展示するとともに、需要者が容易に手に取ることができるように保持することが可能である。
【００２７】
次に、保持板３について説明する。図２は保持板３を示す斜視図であり、図２（ａ）は表側斜視図、図２（ｂ）は裏側斜視図である。保持板３は、略矩形の板状部材である。保持板３の表面１３は平滑であり、前述の保持部材５等が設けられる。
【００２８】
図２（ｂ）に示すように、保持板３の裏面１５には、貼着シート１７が設けられる。貼着シート１７は、表面に微細なセルが形成されるシートであり、微細なセルがミクロ吸盤として機能し、貼着対象物に対して吸着（貼着）させることが可能である。貼着シート１７は、使用前に貼着面を保護するための保護シートを有しており、使用時には保護シートを剥離することで貼着可能となる。貼着シート１７の貼着部は例えばアクリル系樹脂、二酸化チタン等で構成されており、無数のセルが形成されるフォーム層により貼着対象部に吸着可能である。
【００２９】
すなわち、保持板３は、貼着対象物に対して、容易に取り付け及び取り外しが可能であり、糊残り等が生じることがない。このような貼着シートとしては、例えば、ユポ・コーポレーション製の「サクションタック」（登録商標）等が使用できる。
【００３０】
保持板３は、裏面１５に対して表面１３が大きくなるようにテーパ部を有する。すなわち、裏面１５（貼着シート１７形成部）に対して、外方に向けて張り出すように張り出し部１９が形成される。したがって、平滑な貼着対象部に保持板３を設置した際に、表面１３と貼着対象部との間に隙間が形成される。なお、保持板３としては、形状を保持可能であれば良く、例えばアクリル等の樹脂製である。
【００３１】
次に、保持部材５について説明する。図３は、保持部材５を示す斜視図であり図３（ａ）は分解斜視図、図３（ｂ）は組みあわされた状態を示す斜視図である。前述の通り、保持部材５は、保持板側保持部材７と展示物側保持部材９より構成される。
【００３２】
保持板側保持部材７の表面側（保持板３との接合部とは反対側の面）には、凹部２１が形成される。凹部２１は略矩形であり、展示物側保持部材９の形状に対応する。すなわち、展示物側保持部材９は、凹部２１に嵌り込むことが可能である。なお、凹部２１の深さは、展示物側保持部材９の厚さよりも浅く、展示物側保持部材９を凹部２１に嵌めこんだ際に、展示物側保持部材９が保持板側保持部材７の表面からわずかに突出する。
【００３３】
保持板側保持部材７の凹部２１の内面には、磁石２３が設けられる。磁石２３は、凹部２１において、例えば縦方向に複数（図では１対）離間して設けられる。一方、展示物側保持部材９の内部にも、同様に磁石２５が設けられる。磁石２５の配置および数は、保持板側保持部材７の磁石２３と対応する。磁石２３は、保持板側保持部材７の表面側に例えばＮ極となるように配置され、磁石２５は、展示物側保持部材９の裏面側（保持板側保持部材７に固定される側）に例えばＳ極となるように配置される。このため、保持板側保持部材７と展示物側保持部材９とは互いに着脱（図中矢印Ａ）可能である。なお、磁石２３、２５は、例えばネオジウム磁石である。
【００３４】
図４は、保持部材５の平面図である。図４（ａ）に示すように、例えば、保持板側保持部材７に対して、展示物側保持部材９が側方にずれた部位に位置した場合には、一対の磁石２３と磁石２５とがそれぞれ引きつけ合い、展示物側保持部材９は、保持板側保持部材７の正規の固定位置方向に引きつけられる（図中矢印Ｂ方向）。したがって、多少ずれた位置であっても、展示物側保持部材９は、保持板側保持部材７の常に一定の位置に合わせて引きつけられる。
【００３５】
同様に、図４（ｂ）に示すように、保持板側保持部材７に対して、例えば回転方向にずれた位置に展示物側保持部材９が位置した場合であっても、磁石２３と磁石２５とが引きつけ合い、展示物側保持部材９は、保持板側保持部材７の固定位置方向に引きつけられる（図中矢印Ｃ方向）。したがって、多少ずれた状態であっても、展示物側保持部材９は、保持板側保持部材７の常に一定の位置で一定の向きに合わせて引きつけられる。
【００３６】
次に、展示用部材１の使用状態について説明する。図５は、展示用部材１の使用状態を示す側面図である。図５（ａ）に示すように、保持板３の表面には保持板側保持部材７が接合される。同様に、展示物１１の裏面に、展示物側保持部材９が接合される。図５（ｂ）に示すように、保持板３裏面の貼着シート１７を平滑な貼着対象部２９に押し付けると、貼着シート１７によって、保持板３が貼着対象部２９に固定される。
【００３７】
保持板３を貼着対象部２９より取り外す場合には、保持板３を貼着対象部２９から強く引きはがせば、容易に取り外すことができる。すなわち、保持板３は貼着対象部２９に対して、取り付け及び取り外しを繰り返し行うことができる。なお、保持板３には張り出し部１９が設けられるため、保持板３が貼着対象部２９に取り付けられた状態で、保持板３と貼着対象部２９との間に隙間が生じる。したがって、保持板３を掴みやすく、取り外しが容易である。
【００３８】
保持板側保持部材７の前面側には、展示物側保持部材９が取り付けられた展示物１１が着脱可能に取り付けられる。前述の通り、展示物側保持部材９は、保持板側保持部材７の凹部に嵌り、一対の磁石で固定される。このため、展示物１１は、保持板３に対して、常に一定の位置に一定の向きで固定され、位置ずれ等が起こることがない。また、展示物１１を一旦取り外した後、再度保持板側に取り付ける際にも、細かな位置合わせ等が不要であり、磁石によって正規の場所および向きに誘導されるため、取付も容易である。
【００３９】
なお、図５（ｂ）の状態において、展示物１１を取り外す際には、保持部材の磁力以上の力で展示物を取り外せば容易に着脱が可能であるが、この際、保持部材による展示物１１の保持力に対して、貼着シート１７の貼着対象部２９に対する貼着力は十分に大きいため、展示物１１を取り外す際に、保持板３が貼着対象部２９より脱落することはない。すなわち、磁石の磁力及び個数は、展示物１１を保持可能な磁力であって、かつ、貼着シート１７による貼着力よりも小さいように適宜設定することが望ましい。
【００４０】
以上説明したように、本実施の形態にかかる展示用部材１によれば、展示物１１を容易に展示でき、展示配置やレイアウトの自由度が高い。また、保持板３を繰り返し着脱することができ、糊残りの問題もない。また、展示物１１を容易に手に取ることも可能であり、展示物１１の着脱も容易である。
【００４１】
また、保持部材５によって、常に一定の位置および向きに展示物が固定されるため、陳列された展示物の見た目がよく、展示物の位置や向きを整える作業が不要である。また、保持部材５を展示物１１よりも小さくすることで、展示物１１が保持板３から浮いているような視覚効果を与えることができる。
【００４２】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００４３】
たとえば、図６に示す展示用部材３０のように、保持部材５に代えて保持部材５ａを設けてもよい。保持部材５ａは、保持板３の表面に対して略垂直な方向である前面に向かって設けられた底面を有する部位であり、展示物１１を載置可能である。なお、図６（ａ）のように、展示物１１が転落しないように、底面のみではなく側壁および前壁を設けて、展示物１１が挿入可能な箱型形状とすれば、より確実に展示物１１を展示することができる。このように、保持部材としては、展示物を保持できれば良く、その構造は適宜採用することができる。
【００４４】
展示用部材３０は、展示用部材１と同様に貼着される。なお、張出し部１９は、展示用部材１のようなテーパ形状でなく、図６（ｂ）に示すように、段状に形成してもよい。このようにしても、保持板３と貼着対象部との間に隙間が生じ、取り外しが容易である。
【００４５】
また、張出し部１９の形状としては、図７に示す展示用部材４０のように、段差とテーパ部を組み合わせてもよい。いずれにしても、保持板の外周部に張り出し部を形成することで、取り外しが容易となる。
【符号の説明】
【００４６】
１、３０、４０………展示用部材
３………保持板
５………保持部材
７………保持板側保持部材
９………展示物側保持部材
１１………展示物
１３………表面
１５………裏面
１７………貼着シート
１９………張り出し部
２１………凹部
２３………磁石
２５………磁石
２９………貼着対象部
【図１】
0003159183.tif 000003
【図２】
0003159183.tif 000004
【図３】
0003159183.tif 000005
【図４】
0003159183.tif 000006
【図５】
0003159183.tif 000007
【図６】
0003159183.tif 000008
【図７】
0003159183.tif 000009
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
展示物を保持する展示用部材であって、
保持板と、
前記保持板の裏面に設けられる貼着シートと、
を具備し、
前記貼着シートは表面に微細なセルを有し、貼着対象部に対して、貼り付け及び剥離が繰り返し可能であり、
前記保持板の表面には、展示物を保持可能な保持部材が設けられることを特徴とする展示用部材。
【請求項２】
前記保持板の表面側の外周部には、前記保持板の裏面に対して外方に張り出した張り出し部が形成されることを特徴とする請求項１記載の展示用部材。
【請求項３】
前記保持部材は、
前記保持板に接合され、磁石を有する保持板側保持部材と、
展示物に接合され、磁石を有する展示物側保持部材と、
を具備し、
前記保持板側保持部材と前記展示物側保持部材とが、互いの磁石によって着脱可能であることを特徴とする請求項１または請求項２に記載の展示用部材。
【請求項４】
前記貼着シートと貼着対象部との貼着力が、前記保持板側保持部材と前記展示物側保持部材との引力よりも十分に強く、前期貼着シートによって前記保持板を貼着対象部に貼着した状態で、展示物を着脱可能であることを特徴とする請求項３記載の展示用部材。
【請求項５】
前記保持板側保持部材の表面には凹部が形成され、前記展示物側保持部材は、前記凹部に嵌り込んだ状態で前記保持板側保持部材と磁力で固定されることが可能であることを特徴とする請求項３または請求項４に記載の展示用部材。
【請求項６】
前記保持板側保持部材には、磁石が複数併設され、前記展示物側保持部材には、前記保持板側保持部材の磁石に対応する配置で磁石が複数併設され、前記展示物側保持部材のそれぞれの磁石と前記保持板側保持部材の対応する磁石とが引き合うことで、前記展示物側保持部材と前記保持板側保持部材とが所定の向きで固定されることを特徴とする請求項３から請求項５のいずれかに記載の展示用部材。
【請求項７】
前記保持部材は、
前記保持板に接合され、前記保持板の表面と略垂直な面を有する展示物載置部であり、
前記展示物を前記展示物載置部に載置可能であることを特徴とする請求項１または請求項２に記載の展示用部材。